(57)【要約】【課題】  作業員１人でも容易かつ正確に垂直確認が可能なテーパ状ポールの据付確認治具を提供する。【解決手段】  設置箇所に垂直に固定され側面がテーパ状に形成されたテーパ状ポール２の各側面直線１０上に、垂直マーク４が所定間隔離して複数本設けられたテーパ状ポール２の据付確認に用いる。水平断面の中心点に対し直角に位置する一対の垂直マーク４とそれぞれ交差する水平断面の中心線の延長上に位置し、紐２３を介して重錘２２を吊り下げ可能とする重錘吊着部１６と、重錘吊着部１６を、テーパ状ポール２に固定するポール取付部１４を備える。互いに直交する垂直指標線２４が表面に形成され、ポール狭着穴２６を有した垂直検定板２０を備える。一対の垂直マーク４と垂直指標線２４とを一致させるように、垂直検定板２０をポール２の側面に取り付け、重錘２２が垂直指標線２４上に位置するようにポール２を調整する。【選択図】図１
2005264555.tif 000002
【特許請求の範囲】
【請求項１】
設置箇所に垂直に固定され側面がテーパ状に形成されたテーパ状ポールの据付確認治具において、前記テーパ状ポールの長手方向中心軸に対して直交する任意の水平断面に対して直角に交わる垂直断面であって、前記水平断面の中心点で互いに直交する任意の一対の垂直断面で、前記ポールの側面が前記各垂直断面と交わる各側面直線上に、前記水平断面の円周と交差する垂直マークを所定間隔離して複数本設け、前記水平断面の中心点に対し直角に位置する一対の垂直マークを備えた前記テーパ状ポールに対して、前記水平断面の延長上に位置し、紐を介して重錘を吊り下げ可能とする重錘吊着部と、この重錘吊着部を前記テーパ状ポールに固定するポール取付部と、互いに直交する垂直指標線が表面に形成され中央部にポール狭着穴を有する垂直検定板とからなり、前記一対の垂直マークと前記垂直指標線とを一致させて前記垂直検定板を前記ポールが貫通するように取り付けられることを特徴とするテーパ状ポールの据付確認治具。
【請求項２】
前記重錘吊着部とポール取付部は、蝶番を介し連結され、折りたたみ可能としたことを特徴とする請求項１記載のテーパ状ポールの据付確認治具。
【請求項３】
前記重錘吊着部とポール取付部は、前記重錘取付部の基端部を前記ポール取付部に着脱自在としたことを特徴とする請求項１記載のテーパ状ポールの据付確認治具。
【請求項４】
前記垂直検定板は、前記テーパ状ポールを通す穴が形成され、この穴の中心を通過するように前記垂直指標線が表面に形成され、前記穴を２分する線で分割可能としたことを特徴とする請求項１記載のテーパ状ポールの据付確認治具。
【発明の詳細な説明】
【技術分野】
【０００１】
この発明は、街灯や道路照明などに使用するテーパ状ポールの据付確認治具に関する。
【背景技術】
【０００２】
従来、街灯や道路照明などに使用されているポールには、ポール形状が円柱状で直線的なポールと、地面に埋設される基端部側に行くに従い太くなっているテーパ状のポールとがある。ポールを立設する方法は、ポールを建てるためこのポールの外径よりもわずかに太い内径の穴が開口した基礎を、設置箇所の地面に埋設し、基礎の穴にポール下端部を挿入する。そして、基礎の穴に遊挿したポールと基礎の隙間にクサビを挟入して仮固定し、垂直方向を調整・確認後、コンクリートを隙間に流し込み、固定するものである。
【０００３】
その他、垂直方向の調整には特許文献１にあるように、クサビの代わりに、調整治具を使用して傾きを調整する方法もある。また、特許文献２に開示されているように、ポールを１人で立設可能とする器具も提案されている。
【０００４】
そして、立設するポールの垂直状態を確認する方法としては、トランシットを使用するものがある。トランシットを使ったポールの垂直方向の確認方法は、ポールより適宜離れたところからトランシットを覗き、トランシットの見通し確認により垂直状況を適宜指示する。この場合、トランシットを覗く作業員が、クサビの挟入具合を調節する別の作業員に、調整を指示しポールが垂直を成すようにする。トランシットを使った場合、直管状のポールにおいては、トランシットの中に見える十字の線の垂直側に、十字の線の見通し上に見えるポールの側縁部を合わせて確認する。一方、テーパ状のポールでは、トランシットの中に見える十字の線の垂直側とポールの側縁部が一致しないので、おおよその垂直方向の一致で、垂直を確認している。
【０００５】
その他、直管状のポールの場合、図５に示すように、トランシットを使わない方法もある。この方法では、棒体４６を十字に緊結し十字棒体を作り、その十字面をポール４８の側面と直角を成すようにポール４８に緊結し、互いに直角の２本の棒体４６の片側端部に各々紐２３を垂らし、その紐２３の先端に重錘２２を吊す。このとき、図５にある２本の紐２３とポール４８との間隔が、ａ１＝ａ２且つｂ１＝ｂ２になるように、ポール４８の傾きを調節し、クサビ３４を固定する。この方法では、作業員１人で、垂直確認と調整が可能である。
【特許文献１】特公平７−２１２６１号公報
【特許文献２】特開２００１−１７７９３５号公報
【発明の開示】
【発明が解決しようとする課題】
【０００６】
上記従来のテーパ状ポールの垂直確認において、トランシットを用いる場合、テーパ状のポールの立設状態について、垂直を目測によるおおまかな目安により、トランシット内の十字の線の垂直側に合わせることで確認するため、垂直状態の確認が正確ではなく、確認する作業員の熟練度により個人差が発生するものであった。また、トランシットを覗きながら傾き調整方向を指示する人と、クサビの挟入具合を調整する人の最低２人の作業員が必要になる。
【０００７】
また、テーパ状ポールにおいて重錘を紐で吊す方法は、紐とテーパ状ポールの間隔が計測する位置で異なり、さらにテーパ状ポールのテーパの角度が極めて小さく、測定精度が低いので、この方法は利用できないものであった。
【０００８】
この発明は、上記従来の技術に鑑みて成されたもので、作業員１人でも容易かつ正確に垂直確認が可能なテーパ状ポールの据付確認治具を提供することを目的とする。
【課題を解決するための手段】
【０００９】
この発明は、設置箇所に垂直に固定され側面がテーパ状に形成されたテーパ状ポールの据付確認治具であって、前記テーパ状ポールの長手方向中心軸に対して直交する任意の水平断面に対して直角に交わる垂直断面であって、前記水平断面の中心点で互いに直交する任意の一対の垂直断面で、前記ポールの側面が前記各垂直断面と交わる各側面直線上に、前記水平断面の円周と交差する垂直マークが所定間隔離して複数本設けられたテーパ状ポールの据付確認に用いるものである。前記水平断面の中心点に対し直角に位置する一対の垂直マークとそれぞれ交差する前記水平断面の中心線の延長上に位置し、紐を介して重錘を吊り下げ可能とする重錘吊着部と、この重錘吊着部を前記テーパ状ポールに固定するポール取付部と、互いに直交する垂直指標線が表面に形成され中央部にポール狭着穴を有する垂直検定板とからなり、前記一対の垂直マークと前記垂直指標線とを一致させて前記垂直検定板が前記ポールを貫通するように取り付けられ、前記重錘が前記垂直指標線上に位置するように前記ポールを調整するためのテーパ状ポールの据付確認治具である。
【００１０】
前記重錘吊着部とポール取付部は、蝶番を介し連結され、折りたたみ可能としたものである。また、前記重錘吊着部とポール取付部は、前記重錘取付部の基端部を前記ポール取付部に着脱自在としたものでも良い。
【００１１】
前記垂直検定板は、前記テーパ状ポールを通す穴が形成され、この穴の中心を通過するように前記垂直指標線が表面に形成され、前記穴を２分する線で分割可能としたものである。
【発明の効果】
【００１２】
この発明のテーパ状ポールの据付確認治具によれば、テーパ状ポールの設置における垂直方向の確認において、この据付確認治具を用いることにより、容易に垂直方向の確認ができ、垂直方向の確認における曖昧さが無くなり、個人差がでない。また、トランシット等の装置を用いることなく、簡易な装置で垂直方向の確認を正確に行うことができ、作業員の熟練が不要であり一人の作業員で効率良く垂直方向の確認ができる。
【発明を実施するための最良の形態】
【００１３】
以下、この発明のテーパ状ポールの据付確認治具の一実施形態について、図１〜図４に基づいて説明する。この実施形態のテーパ状ポール２は、図４に示すような、道路などの路肩に設置される街灯４２などに使用するもので、その先端部に照明機器４４を備えたものである。
【００１４】
テーパ状ポール２には、図１に示すように、側面上に適宜な間隔を開けて長手方向数カ所に亘って垂直マーク４が設けられている。垂直マーク４は、ポール２の長手方向中心軸６に対して直交する任意の仮想の水平断面８に対して直角に交わる一対の仮想の垂直断面であって、水平断面８の中心点で互いに直交する任意の線を通る一対の垂直断面上で、ポール２の側面が各垂直断面と交わる仮想の各側面直線１０上に形成されている。さらに、垂直マーク４は、ポール２の長手方向に数カ所に亘って、ポール２の各水平断面８の周囲に形成されている。
【００１５】
この実施形態のテーパ状ポール２の据付確認治具は、重錘取付器具１２と垂直検定板２０から成る。重錘取付器具１２は、ポール２に狭着するポール取付部１４と、ポール取付部１４から側方に延出した一対の重錘吊着部１６から成る。重錘吊着部１６は、互いの中心線がポール２の長手方向中心軸６で直交する位置であって、水平断面８上で延びている。重錘吊着部１６の先端部には、紐２３をかける切り込み１８が形成されている。
【００１６】
重錘吊着部１６は、ポール取付部１４に固定されていても良いが、図２（ａ）に示すように、蝶番１３で揺動自在に設けられているとよい。また、図２（ｂ）に示すように、重錘吊着部１６の基端部がＬ字状に屈曲して形成され、その屈曲した差し込み部１６ａが嵌合する嵌合部１７が、ポール取付部１４の外周に形成されていても良い。
【００１７】
垂直検定板２０は、図１，図３に示すように、互いに直交する垂直指標線２４が表面に形成され、中央部には垂直指標線２４の交点を中心としたポール狭着穴２６が形成されている。また垂直検定板２０には、ポール狭着穴２６を２分するように、分割線２８で分割可能に形成されている。分割線２８には、２カ所にΩ状の凹凸部からなる連結部３２が形成されている。連結部３２は、一方がΩ状の凸部であり、他方がΩ状の凹部となっていて、互いに連結して固定可能な形状に形成されている。
【００１８】
次に、ポール２の設置方法について説明する。先ず、ポール２を立てる前に、下端に重錘２２が吊り下げられた紐２３を重錘吊着部１６の切り込み１８に結ぶ。そして、ポール取付部１４をポール２に狭着する。このとき、２つ重錘吊着部１６の中心線は、ポール２の中心軸６に対して水平面上で直角に交わる。
【００１９】
また、テーパ状ポール２を立てるための挿入穴３８が形成された基礎３６を、設置箇所の地面に埋設し、その基礎３６の挿入穴３８にポール２の基端部を挿入する。挿入穴３８の内径は、ポール２の基端部の外形よりもわずかに大きく、ポール２は挿入穴３８に遊挿された状態となる。次に、遊挿したポール２の側周部と挿入穴の隙間には、図１に示すように、複数のクサビ３４を挟入し、クサビ３４の挟入具合により、ポール２の傾きを調節可能とする。
【００２０】
ポール２の立設後、垂直検定板２０を２分割し、ポール狭着穴２６にポール２の基端部を挟むようにして、垂直マーク４の形成位置に取り付ける。垂直検定板２０は、垂直指標線２４とポール２の垂直マーク４が一致するように狭着する。
【００２１】
このテーパ状ポール２の垂直方向の確認方法は、一対の重錘２２の各下部先端が垂直検定板２０の互いに直交した各垂直指標線２４上に各々一致するように、クサビ３４の挟入具合を調整し、ポール２の傾きを修正する。垂直状態の確認後、クサビ３４間からポール２と基礎３６の隙間の挿入穴８にコンクリートを注入し、ポール２を垂直に固定する。
【００２２】
この実施形態のテーパ状ポール２の据付確認治具は、上記実施形態に限定されるものではなく、図３に示すように、垂直検定板２０の角部に切り込み４０を形成して、紐２３を連結可能とし重錘取付器具の重錘吊着部として用いても良い。この場合、ポール狭着穴がポール取付部となる。これにより、垂直検定板を２枚用いることにより容易にポールの垂直検定が可能となり、部材管理も容易となる。
【００２３】
また、重錘取付器具及び重錘取付板は形状や素材は、適宜のものを採り得るものである。さらに、垂直検定板は、楕円形状など適宜な形状を採り得るものである。その他、テーパ状のポールの素材や用途は、適宜のものを採り得るものである。
【図面の簡単な説明】
【００２４】
【図１】この発明の一実施形態のテーパ状ポールの据付確認治具の取付状態を示す概略斜視図ある。
【図２】この実施形態の据付確認治具における重錘取付器具の概略斜視図（ａ）と、重錘取付器具の変形例の概略斜視図（ｂ）である。
【図３】この実施形態の据付確認治具における垂直検定板を示す斜視図である。
【図４】この実施形態のポールの設置状態を示す概略斜視図である。
【図５】従来の直管状ポールの重錘を用いた垂直確認作業を示す概略斜視図である。
【符号の説明】
【００２５】
２  ポール
４  垂直マーク
６  中心軸
８  水平断面
１０  側面直線
１２  重錘取付器具
１４  ポール取付部
１６  重錘吊着部
１８  切り込み
２０  垂直検定板
２２  重錘
２３  紐
２４  垂直指標線
２６  ポール狭着穴
２８  分割線
３２  連結部
３４  クサビ
３６  基礎
【図１】
2005264555.tif 000003
【図２】
2005264555.tif 000004
【図３】
2005264555.tif 000005
【図４】
2005264555.tif 000006
【図５】
2005264555.tif 000007